(57)【要約】【課題】発光素子からの有効発光角内の光を遮ることなく接続部を配置することができ、且つ、小型化を図ることができる照明装置を提供する。【解決手段】配線基板１８と、配線基板１８の実装面１８ａに実装されたＬＥＤ１６と、配線基板１８の実装面１８ａとは反対側の面を支持する支持面２６ａを有し、且つ、配線基板１８の一端部に隣接して配置された貫通孔３８を有するヒートシンク２０と、貫通孔３８に設けられ、且つ、ＬＥＤ１６に点灯電力を供給するための防水コネクタ３６と、を備え、防水コネクタ３６の先端部は、ＬＥＤ１６からの有効発光角θ内の光を遮らない位置に位置している。【選択図】図４
2014175189.tif 000002
【特許請求の範囲】
【請求項１】
配線基板と、
前記配線基板の実装面に実装された発光素子と、
前記配線基板の前記実装面とは反対側の面を支持する支持面を有し、且つ、前記配線基板の一端部に隣接して配置された取付部を有する支持部材と、
前記取付部に取り付けられ、且つ、前記発光素子に点灯電力を供給するための接続部と、を備え、
前記接続部の先端部は、前記発光素子からの有効発光角内の光を遮らない位置に位置している
照明装置。
【請求項２】
前記接続部の前記先端部は、前記取付部の前記支持面上の開口部よりも低い位置に位置している
請求項１に記載の照明装置。
【請求項３】
前記接続部の前記先端部の一部は、前記配線基板の前記一端部により覆われている
請求項２に記載の照明装置。
【請求項４】
前記取付部には段差部が設けられており、
前記段差部には、前記接続部の一部が支持されている
請求項１〜３のいずれか１項に記載の照明装置。
【請求項５】
さらに、前記接続部と前記配線基板とを電気的に接続するリード線を備え、
前記リード線は、前記接続部の前記先端部に取り付けられ、且つ、前記配線基板の前記実装面上に沿って配置されている
請求項１〜４のいずれか１項に記載の照明装置。
【請求項６】
さらに、前記配線基板を覆うようにして前記支持部材に取り付けられ、且つ、前記発光素子からの光の配光角を制御するレンズ部を有するレンズカバー部材を備え、
前記レンズカバー部材には、前記リード線を収納するための収納凹部が設けられている
請求項５に記載の照明装置。
【請求項７】
前記レンズ部からの光の配光角は、
第１の方向における第１の配光角と、
前記第１の方向に対して略垂直な第２の方向における第２の配光角と、を有し、
前記第１の配光角は前記第２の配光角よりも大きく、
前記接続部は、前記第１の方向における前記配線基板の前記一端部側に配置されている
請求項６に記載の照明装置。
【請求項８】
前記支持部材は、前記発光素子からの熱を放熱するためのヒートシンクである
請求項１〜７のいずれか１項に記載の照明装置。
【請求項９】
前記接続部は、ケーブルの先端部に接続された防水コネクタである
請求項１〜８のいずれか１項に記載の照明装置。
【発明の詳細な説明】
【技術分野】
【０００１】
本発明は、例えばトンネル内等を照明するための照明装置に関する。
【背景技術】
【０００２】
例えばトンネル内等を照明するための照明装置は、筐体と、筐体に収納された照明ユニットと、を備えている（例えば、特許文献１参照）。照明ユニットは、ＬＥＤ（Ｌｉｇｈｔ  Ｅｍｉｔｔｉｎｇ  Ｄｉｏｄｅ）、配線基板及び支持部材を備えている。ＬＥＤは、配線基板の実装面に実装されている。支持部材は、配線基板の実装面とは反対側の面を支持している。支持部材には、ＬＥＤに点灯電力を供給するためのコネクタ（接続部を構成する）が取り付けられている。コネクタの先端部には、リード線が取り付けられている。コネクタは、このリード線を介して配線基板の実装面に電気的に接続されている。
【先行技術文献】
【特許文献】
【０００３】
【特許文献１】特表２００９−５１６３５７号公報
【発明の概要】
【発明が解決しようとする課題】
【０００４】
しかしながら、上述した従来の照明装置では、次のような課題が生じる。コネクタは、その先端部が支持部材から配線基板側に大きく突出するようにして、支持部材に取り付けられている。これにより、コネクタを配線基板に近接して配置した場合には、ＬＥＤからの有効発光角内の光の一部がコネクタの先端部により遮られるおそれがある。そのため、コネクタを配線基板から離して配置しなければならず、コネクタと配線基板との間の距離の分だけ、照明装置が大型化してしまうという課題が生じる。
【０００５】
なお、有効発光角とは、ＬＥＤの光軸を中心とした所定範囲の立体角である。ＬＥＤから発する光は、光軸を中心に立体角状に広がった配光を形成する。この配光が広くなればなるほど、ＬＥＤの光学的収差は大きくなる。そのため、一般に、ＬＥＤから発する光のうち、光軸を中心とした所定範囲の立体角（すなわち、有効発光角）に含まれる光が有効光として利用される。
【０００６】
本発明は、上述した課題を解決しようとするものであり、その目的は、発光素子からの有効発光角内の光を遮ることなく接続部を配置することができ、且つ、小型化を図ることができる照明装置を提供することである。
【課題を解決するための手段】
【０００７】
上記目的を達成するために、本発明の一態様に係る照明装置は、配線基板と、前記配線基板の実装面に実装された発光素子と、前記配線基板の前記実装面とは反対側の面を支持する支持面を有し、且つ、前記配線基板の一端部に隣接して配置された取付部を有する支持部材と、前記取付部に取り付けられ、且つ、前記発光素子に点灯電力を供給するための接続部と、を備え、前記接続部の先端部は、前記発光素子からの有効発光角内の光を遮らない位置に位置している。
【０００８】
本態様によれば、接続部の先端部は、発光素子からの有効発光角内の光を遮らない位置に位置しているので、配線基板と接続部との間の距離を縮めることができる。これにより、発光素子からの有効発光角内の光を遮ることなく接続部を配置することができ、且つ、照明装置の小型化を図ることができる。さらに、配線基板と接続部との間の距離が縮まることにより、リード線の長さを短くすることができる。これにより、リード線が配線基板の実装面から浮き上がるのが抑制され、リード線が発光素子からの有効発光角内の光を遮るのを抑制することができる。
【０００９】
例えば、本発明の一態様に係る照明装置において、前記接続部の前記先端部は、前記取付部の前記支持面上の開口部よりも低い位置に位置しているように構成してもよい。
【００１０】
本態様によれば、接続部の先端部は、取付部の支持面上の開口部よりも低い位置に位置しているので、発光素子からの有効発光角内の光が接続部の先端部により遮られるのを抑制することができる。
【００１１】
例えば、本発明の一態様に係る照明装置において、前記接続部の前記先端部の一部は、前記配線基板の前記一端部により覆われているように構成してもよい。
【００１２】
本態様によれば、接続部の先端部の一部は、配線基板の一端部により覆われているので、配線基板と接続部との間の距離をより一層縮めることができる。これにより、照明装置をより一層小型化することができる。
【００１３】
例えば、本発明の一態様に係る照明装置において、前記取付部には段差部が設けられており、前記段差部には、前記接続部の一部が支持されているように構成してもよい。
【００１４】
本態様によれば、取付部の段差部には接続部の一部が支持されているので、接続部を取付部に安定して取り付けることができる。
【００１５】
例えば、本発明の一態様に係る照明装置において、さらに、前記接続部と前記配線基板とを電気的に接続するリード線を備え、前記リード線は、前記接続部の前記先端部に取り付けられ、且つ、前記配線基板の前記実装面上に沿って配置されているように構成してもよい。
【００１６】
本態様によれば、リード線は、配線基板の実装面上に沿って配置されているので、発光素子からの有効発光角内の光がリード線によって遮られるのを抑制することができる。
【００１７】
例えば、本発明の一態様に係る照明装置において、さらに、前記配線基板を覆うようにして前記支持部材に取り付けられ、且つ、前記発光素子からの光の配光角を制御するレンズ部を有するレンズカバー部材を備え、前記レンズカバー部材には、前記リード線を収納するための収納凹部が設けられているように構成してもよい。
【００１８】
本態様によれば、リード線がレンズカバー部材の収納凹部に収納されているので、リード線が配線基板の実装面上に沿って配置された状態を保持することができる。
【００１９】
例えば、本発明の一態様に係る照明装置において、前記レンズ部からの光の配光角は、第１の方向における第１の配光角と、前記第１の方向に対して略垂直な第２の方向における第２の配光角と、を有し、前記第１の配光角は前記第２の配光角よりも大きく、前記接続部は、前記第１の方向における前記配線基板の前記一端部側に配置されているように構成してもよい。
【００２０】
本態様によれば、接続部は、第１の方向における配線基板の一端部側に配置されている。第１の配光角の光の一部が遮られることにより照射面の照度に与えられる影響は、第２の配光角の光の一部が遮られることにより照射面の照度に与えられる影響よりも小さい。そのため、上述した接続部の配置は、照射面の照度に与える影響がより小さい配置とすることができる。
【００２１】
例えば、本発明の一態様に係る照明装置において、前記支持部材は、前記発光素子からの熱を放熱するためのヒートシンクであるように構成してもよい。
【００２２】
本態様によれば、接続部を取り付ける機能をヒートシンクに持たせることにより、部品点数の削減を図ることができる。
【００２３】
例えば、本発明の一態様に係る照明装置において、前記接続部は、ケーブルの先端部に接続された防水コネクタであるように構成してもよい。
【００２４】
本態様によれば、接続部を防水コネクタで構成することにより、例えば照明装置を屋外に設置した場合であっても、接続部に水滴が付着することによる電気的ショートを抑制することができる。
【発明の効果】
【００２５】
本発明の一態様に係る照明装置によれば、発光素子からの有効発光角内の光を遮ることなく接続部を配置することができ、且つ、照明装置の小型化を図ることができる。
【図面の簡単な説明】
【００２６】
【図１】実施の形態１に係る照明装置の正面側を示す図である。
【図２】実施の形態１に係る照明装置の背面側を示す斜視図である。
【図３】照明モジュールの一部を分解した状態を示す斜視図である。
【図４】図１中のＡ−Ａ線により切断した照明モジュールの断面図である。
【図５】図１中のＢ−Ｂ線により切断した照明モジュールの断面図である。
【図６】図１中のＣ−Ｃ線により切断した照明モジュールの断面図である。
【図７】実施の形態２に係る照明装置の照明モジュールの断面図である。
【図８】実施の形態３に係る照明装置の照明モジュールの断面図である。
【図９】実施の形態４に係る照明装置の照明モジュールの断面図である。
【図１０】実施の形態５に係る照明装置の照明モジュールの一部を分解した状態を示す斜視図である。
【発明を実施するための形態】
【００２７】
以下、実施の形態に係る照明装置について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２８】
（実施の形態１）
［照明装置の全体構成］
まず、図１及び図２を参照しながら、実施の形態１に係る照明装置の全体構成について説明する。図１は、実施の形態１に係る照明装置の正面側を示す図である。図２は、実施の形態１に係る照明装置の背面側を示す斜視図である。
【００２９】
図１及び図２に示すように、照明装置２は、枠体４及び複数（本実施の形態では４個）の照明モジュール６を備えている。本実施の形態の照明装置２は、例えば、トンネル内を照明するための照明装置である。
【００３０】
枠体４は、複数の照明モジュール６を支持するためのものである。枠体４は、４個の枠部材４ａ〜４ｄが略矩形状に組み合わされることにより構成されている。一対の枠部材４ａ，４ｂは、所定方向（すなわち、図１における上下方向）に相互に対向して配置されている。一対の枠部材４ｃ，４ｄは、上記所定方向に対して略直交する方向（すなわち、図１における左右方向）に相互に対向して配置されている。４個の枠部材４ａ〜４ｄはそれぞれ、例えばアルミニウム等で形成されている。
【００３１】
枠部材４ａには、照明装置２の背面側に向けて延びる支持アーム８が取り付けられている。支持アーム８には、複数の照明モジュール６の各々に点灯電力を供給するための電源装置１０が支持されている。さらに、一対の枠部材４ｃ，４ｄには、照明装置２の背面側に向けて延びる取付ハンドル１２が取り付けられている。取付ハンドル１２には、ボルト（図示せず）を挿入するための一対の貫通孔１４が設けられている。ボルトが取付ハンドル１２の一対の貫通孔１４の各々を通してトンネル内の壁面等に締結されることにより、照明装置２がトンネル内の壁面等に取り付けられる。
【００３２】
複数の照明モジュール６の各々は、照明装置２の外部（例えばトンネル内）に向けて光を照射するためのものである。複数の照明モジュール６は、枠体４の内側に、例えば２行２列に並んで配置されている。複数の照明モジュール６の各々の構成については、後述する。
【００３３】
［照明モジュールの構成］
次に、図３〜図６をも参照しながら、複数の照明モジュール６の各々の構成について説明する。図３は、照明モジュールの一部を分解した状態を示す斜視図である。図４は、図１中のＡ−Ａ線により切断した照明モジュールの断面図である。図５は、図１中のＢ−Ｂ線により切断した照明モジュールの断面図である。図６は、図１中のＣ−Ｃ線により切断した照明モジュールの断面図である。なお、複数の照明モジュール６の各々の構成は同一であるため、以下では、複数の照明モジュール６のうち一つの照明モジュール６の構成について説明する。
【００３４】
図３〜図６に示すように、照明モジュール６は、複数のＬＥＤ１６（複数のＬＥＤ１６の各々は発光素子を構成する）、配線基板１８、ヒートシンク２０（支持部材を構成する）、防塵カバー部材２２及びレンズカバー部材２４を有している。
【００３５】
複数のＬＥＤ１６の各々は、チップ型のＬＥＤである。複数のＬＥＤ１６の各々は、配線基板１８の実装面１８ａに実装されている。配線基板１８の実装面１８ａには、配線パターン及び電極端子等（図示せず）が配置されている。なお、配線基板１８は、例えばアルミニウム等で形成されている。
【００３６】
ヒートシンク２０は、平板状の支持部２６と、支持部２６の裏面から略垂直に延びる複数の放熱フィン２８と、有している。なお、ヒートシンク２０は、例えばアルミニウム等の放熱性の高い金属で形成されている。
【００３７】
支持部２６の支持面２６ａ（表面）には、複数のネジ３０により配線基板１８が熱伝達可能に取り付けられている。これにより、支持部２６の支持面２６ａは、配線基板１８の実装面１８ａとは反対側の面を支持している。支持部２６の四隅にはそれぞれ、枠体４に設けられたボルト（図示せず）を挿入するための貫通孔３２が設けられている。図１に示すように、貫通孔３２に挿入されたボルトにナットキャップ３３が締結されることによって、支持部２６が枠体４に締結される。支持部２６の外周部には、ネジ５０（後述する）をネジ止めするためのネジ孔３４が複数設けられている。
【００３８】
さらに、支持部２６には、その厚み方向に貫通して延びる貫通孔３８（取付部を構成する）が設けられている。この貫通孔３８は、配線基板１８の一端部に隣接して配置され、且つ、配線基板１８の長手方向中央部に配置されている。貫通孔３８には、複数のＬＥＤ１６の各々に点灯電力を供給するための防水コネクタ３６（接続部を構成する）が取り付けられている。防水コネクタ３６の構成及び防水コネクタ３６の貫通孔３８への取付構造については、後述する。防水コネクタ３６の先端部には、一対のリード線４０が取り付けられている。防水コネクタ３６は、一対のリード線４０を介して、配線基板１８の実装面１８ａ上の電極端子に電気的に接続されている。なお、図２に示すように、防水コネクタ３６は、ケーブル４２の先端部に接続されており、このケーブル４２を介して上述した電源装置１０に電気的に接続されている。これにより、電源装置１０からの点灯電力は、ケーブル４２、防水コネクタ３６及び一対のリード線４０を介して複数のＬＥＤ１６の各々に供給される。
【００３９】
複数の放熱フィン２８は、上記所定方向に対して略直交する方向に間隔を置いて配置されている。複数のＬＥＤ１６の各々の発光に伴って発生する熱は、配線基板１８及び支持部２６を介して複数の放熱フィン２８の各々に伝達され、複数の放熱フィン２８の各々から空気中に放熱される。
【００４０】
防塵カバー部材２２は、複数の放熱フィン２８の各々の先端部を覆うようにして、最も外側に配置された一対の放熱フィン２８にそれぞれ取り付けられている。防塵カバー部材２２には、複数の通気孔４６が設けられている。この防塵カバー部材２２は、複数の放熱フィン２８の各々の間に塵埃等が入り込むのを防止するためのものである。なお、防塵カバー部材２２は、例えばアルミニウム等で形成されている。
【００４１】
レンズカバー部材２４は、水滴等がレンズカバー部材２４の内側に浸入するのを防止する防水機能と、複数のＬＥＤ１６の各々からの光の配光角（すなわち、光の広がる角度）を制御する光学機能と、を有している。レンズカバー部材２４の外周部には、上述した支持部２６の複数のネジ孔３４に対応して、複数の貫通孔４８が設けられている。複数のネジ５０の各々は、貫通孔４８を通してネジ孔３４にネジ止めされている。これにより、レンズカバー部材２４は、配線基板１８を覆うようにしてヒートシンク２０の支持部２６に取り付けられている。なお、レンズカバー部材２４は、例えば透光性を有する樹脂等で形成されている。
【００４２】
ここで、レンズカバー部材２４の上記防水機能について説明する。図１及び図４に示すように、レンズカバー部材２４の裏面側には、レンズカバー部材２４の外周部の全周に渡ってシール部材５２が取り付けられている。このシール部材５２により、レンズカバー部材２４の外周部において、レンズカバー部材２４と支持部２６との間の隙間がシールされる。
【００４３】
次に、レンズカバー部材２４の上記光学機能について説明する。レンズカバー部材２４には、複数のＬＥＤ１６に対応して、複数のレンズ部５４が設けられている。図４及び図６に示すように、複数のレンズ部５４の各々は、対応するＬＥＤ１６の発光面に近接して配置されている。複数のＬＥＤ１６の各々からの光は、対応するレンズ部５４を通過する。このとき、複数のＬＥＤ１６の各々からの光の配光角は、対応するレンズ部５４によって制御される。
【００４４】
なお、図３、図５及び図６に示すように、レンズカバー部材２４の裏面には、一対のリード線４０の各々を収納するための収納凹部５６が設けられている。
【００４５】
［防水コネクタの貫通孔への取付構造］
次に、図３〜図６を参照しながら、本実施の形態の照明装置２の特徴的な構成である、防水コネクタ３６の貫通孔３８への取付構造について説明する。
【００４６】
図３〜図５に示すように、防水コネクタ３６は、コネクタ本体５８及びナット６０を有している。コネクタ本体５８の先端部５８ａには、一対のリード線４０が取り付けられている。コネクタ本体５８の先端部５８ａにおける外周面には、ナット６０を締結するためのネジ山が形成されている。コネクタ本体５８の基端部５８ｂには、ケーブル４２が取り付けられている。コネクタ本体５８の長手方向中央部には、フランジ部５８ｃが設けられている。コネクタ本体５８の先端部５８ａにおける直径は、フランジ部５８ｃにおける直径よりも小さい。
【００４７】
支持部２６の貫通孔３８には、段差部６２が設けられている。この段差部６２によって、貫通孔３８の一方の開口部３８ａ（すなわち、支持部２６の支持面２６ａ上における開口部）の直径は、貫通孔３８の他方の開口部３８ｂ（すなわち、支持部２６の裏面側における開口部）の直径よりも大きくなっている。貫通孔３８の開口部３８ａの直径は、ナット６０の直径に対応した大きさに設定されている。貫通孔３８の開口部３８ｂの直径は、コネクタ本体５８の先端部５８ａの直径に対応した大きさに設定されている。
【００４８】
コネクタ本体５８の先端部５８ａは、開口部３８ｂ側より貫通孔３８に挿入されている。ナット６０は、開口部３８ａ側より貫通孔３８に挿入され、コネクタ本体５８の先端部５８ａに締結されている。ナット６０は、貫通孔３８の段差部６２に支持されている。コネクタ本体５８のフランジ部５８ｃは、貫通孔３８の開口部３８ｂの周縁部に支持されている。このようにして、防水コネクタ３６は、貫通孔３８に取り付けられている。
【００４９】
なお、ナット６０をコネクタ本体５８の先端部５８ａに締結する際に、コネクタ本体５８が供回りするのを防止するために、貫通孔３８及びコネクタ本体５８の先端部５８ａの各々の断面形状をＤ字形状に構成してもよい。
【００５０】
本実施の形態では、図４に示すように、防水コネクタ３６の先端部（すなわち、コネクタ本体５８の先端部５８ａ及びナット６０）は、複数のＬＥＤ１６の各々からの有効発光角θ内の光を遮らない位置に位置している。具体的には、防水コネクタ３６の先端部の位置は、貫通孔３８の開口部３８ａよりも低い位置に位置している。なお、有効発光角θは、例えば約１２０°である。
【００５１】
さらに、図３〜図５にしめすように、防水コネクタ３６の先端部の一部は、配線基板１８の一端部によって覆われている。図５及び図６に示すように、一対のリード線４０の各々は、配線基板１８の実装面１８ａ上に沿って配置されている。
【００５２】
さらに、図４及び図６に示すように、レンズ部５４からの光の配光角は、第１の方向（すなわち、図１における左右方向）における第１の配光角φ１と、上記第１の方向に対して略垂直な第２の方向（すなわち、図１における上下方向）における第２の配光角φ２と、を有している。第１の配光角φ１は、第２の配光角φ２よりも大きい。例えば、第１の配光角φ１は約１４０°であり、第２の配光角φ２は約７０°である。防水コネクタ３６は、上記第１の方向における配線基板１８の一端部側に配置されている。
【００５３】
［効果］
次に、本実施の形態の照明装置２により得られる効果について説明する。上述したように、防水コネクタ３６の先端部は、複数のＬＥＤ１６の各々からの有効発光角θ内の光を遮らない位置に位置している。これにより、配線基板１８と防水コネクタ３６との間の距離を縮めることができる。その結果、複数のＬＥＤ１６の各々からの有効発光角θ内の光を遮ることなく防水コネクタ３６を配置することができ、且つ、照明装置２の小型化を図ることができる。さらに、配線基板１８と防水コネクタ３６との間の距離が縮まることにより、一対のリード線４０の各々の長さを短くすることができる。これにより、一対のリード線４０の各々が配線基板１８の実装面１８ａから浮き上がるのが抑制され、一対のリード線４０の各々が複数のＬＥＤ１６の各々からの有効発光角θ内の光を遮るのを抑制することができる。
【００５４】
さらに、上述したように、防水コネクタ３６の先端部の一部は、配線基板１８の一端部によって覆われている。これにより、配線基板１８と防水コネクタ３６との間の距離をより一層縮めることができ、照明装置２をより一層小型化することができる。
【００５５】
さらに、上述したように、一対のリード線４０の各々は、配線基板１８の実装面１８ａ上に沿って配置されている。これにより、複数のＬＥＤ１６の各々からの有効発光角θ内の光が一対のリード線４０の各々によって遮られるのを抑制することができる。
【００５６】
さらに、上述したように、防水コネクタ３６は、上記第１の方向における配線基板１８の一端部側に配置されている。第１の配光角φ１の光の一部が遮られることにより照射面（すなわち、複数の照明モジュール６の各々からの光により照明される面）の照度に与えられる影響は、第２の配光角φ２の光の一部が遮られることにより照射面の照度に与えられる影響よりも小さい。そのため、上述した防水コネクタ３６の配置は、照射面の照度に与える影響がより小さい配置とすることができる。
【００５７】
（実施の形態２）
次に、図７を参照しながら、実施の形態２に係る照明装置について説明する。図７は、実施の形態２に係る照明装置の照明モジュールの断面図である。なお、以下の実施の形態では、上記実施の形態１と同一の構成要素には同一の符号を付して、その説明を省略する。
【００５８】
図７に示すように、本実施の形態の照明モジュール６Ａでは、ヒートシンク２０Ａの支持部２６Ａに設けられた貫通孔３８Ａには、上記実施の形態１の段差部６２は設けられていない。これにより、防水コネクタ３６Ａの先端部は、貫通孔３８Ａの支持面２６ａ上の開口部３８Ａａよりも上側に突出している。なお、本実施の形態の防水コネクタ３６Ａは、上記実施の形態１の防水コネクタ３６と同じタイプの防水コネクタである。
【００５９】
このような構成であっても、防水コネクタ３６Ａの先端部の位置は、複数のＬＥＤ１６の各々からの有効発光角θ内の光を遮らない位置であるので、上記実施の形態１と同様の効果を得ることができる。
【００６０】
（実施の形態３）
次に、図８を参照しながら、実施の形態３に係る照明装置について説明する。図８は、実施の形態３に係る照明装置の照明モジュールの断面図である。
【００６１】
図８に示すように、本実施の形態の照明モジュール６Ｂでは、ヒートシンク２０Ｂの支持部２６Ｂに設けられた貫通孔３８Ｂの段差部６２の形状が上記実施の形態１と異なっている。これにより、防水コネクタ３６Ｂの先端部の一部は、貫通孔３８Ｂの支持面２６ａ上の開口部３８Ｂａから配線基板１８側に突出している。その突出量は、例えば、配線基板１８の厚みと同一である。すなわち、防水コネクタ３６Ｂの先端部は、配線基板１８の実装面１８ａと同一面上に位置している。なお、本実施の形態の防水コネクタ３６Ｂは、上記実施の形態１の防水コネクタ３６と同じタイプの防水コネクタである。
【００６２】
このような構成であっても、防水コネクタ３６Ｂの先端部の位置は、複数のＬＥＤ１６の各々からの有効発光角θ内の光を遮らない位置であるので、上記実施の形態１と同様の効果を得ることができる。
【００６３】
（実施の形態４）
次に、図９を参照しながら、実施の形態４に係る照明装置について説明する。図９は、実施の形態４に係る照明装置の照明モジュールの断面図である。
【００６４】
図９に示すように、本実施の形態の照明モジュール６Ｃでは、防水コネクタ３６Ｃは、コネクタ本体５８Ｃ及びナット６０Ｃを有している。コネクタ本体５８Ｃの先端部には、フランジ部５８Ｃａが設けられている。コネクタ本体５８Ｃの外周面には、ナット６０Ｃを締結するためのネジ山が形成されている。
【００６５】
コネクタ本体５８Ｃのフランジ部５８Ｃａは、貫通孔３８の段差部６２に支持されている。ナット６０Ｃは、コネクタ本体５８Ｃに締結され、貫通孔３８の開口部３８ｂの周縁部に支持されている。このようにして、防水コネクタ３６Ｃは、貫通孔３８に取り付けられている。
【００６６】
防水コネクタ３６Ｃの先端部（すなわち、コネクタ本体５８Ｃのフランジ部５８Ｃａ）は、貫通孔３８の開口部３８ａよりも低い位置、すなわち、複数のＬＥＤ１６の各々からの有効発光角θ内の光を遮らない位置に位置している。従って、本実施の形態においても、上記実施の形態１と同様の効果を得ることができる。
【００６７】
（実施の形態５）
次に、図１０を参照しながら、実施の形態５に係る照明装置について説明する。図１０は、実施の形態５に係る照明装置の照明モジュールの一部を分解した状態を示す斜視図である。
【００６８】
図１０に示すように、本実施の形態の照明モジュール６Ｄでは、ヒートシンク２０Ｄの支持部２６Ｄに設けられた貫通孔３８は、配線基板１８の一端部に隣接して配置され、且つ、配線基板１８の角部の近傍に配置されている。これに対応して、レンズカバー部材２４Ｄの収納凹部５６は、レンズカバー部材２４Ｄの角部の近傍に配置されている。このような構成であっても、上記実施の形態１と同様の効果を得ることができる。
【００６９】
以上、本発明の実施の形態１〜５に係る照明装置について説明したが、本発明は、これらの実施の形態に限定されるものではない。例えば、上記各実施の形態をそれぞれ組み合わせるとしてもよい。
【００７０】
上記各実施の形態では、取付部は、支持部をその厚み方向に貫通する貫通孔で構成されているが、取付部は、取付部の一部を切り欠いた切り欠き部又は凹部で構成されていてもよい。あるいは、上記各実施の形態では、貫通孔に段差部を設けたが、この段差部を省略することもできる。
【００７１】
上記実施の形態１及び４では、防水コネクタの先端部は、取付部の支持面上の開口部よりも低い位置に位置しているが、防水コネクタの先端部は、取付部の支持面上の開口部と同じ位置（すなわち、支持部の支持面と同一面上）に位置していてもよい。
【００７２】
上記各実施の形態では、取付部に取り付けられるコネクタを防水タイプのコネクタで構成したが、例えば照明装置を屋内に設置する場合等には、コネクタを非防水タイプのコネクタで構成することもできる。
【００７３】
上記各実施の形態では、トンネル内を照明するための照明装置について説明したが、これに限られず、照明装置は、例えば工場内又は屋外等を照明する照明装置として適用することもできる。照明装置は、屋内又は屋外の壁面に取り付けて設置することもでき、あるいは、屋内の天井から吊り下げて設置することもできる。
【００７４】
上記各実施の形態では、枠体の内側に４個の照明モジュールを２行２列に並べて配置したが、照明モジュールの個数及び配置は適宜設定することができる。
【００７５】
上記各実施の形態では、４個の枠部材を矩形状に組み合わせることにより枠体を構成したが、ケース状の筐体により枠体を構成することもできる。
【００７６】
上記各実施の形態では、防水コネクタの先端部にリード線を２本取り付けたが、リード線を１本のみ取り付けることもできる。
【００７７】
上記各実施の形態では、支持部材はヒートシンクで構成されているが、支持部材は、例えば配線基板を支持する機能のみを有するブラケット等で構成することもできる。
【産業上の利用可能性】
【００７８】
本発明は、例えばトンネル内等を照明するための照明装置として適用することができる。
【符号の説明】
【００７９】
２  照明装置
４  枠体
４ａ，４ｂ，４ｃ，４ｄ  枠部材
６，６Ａ，６Ｂ，６Ｃ，６Ｄ  照明モジュール
８  支持アーム
１０  電源装置
１２  取付ハンドル
１４，３２，３８，３８Ａ，３８Ｂ，４８  貫通孔
１６  ＬＥＤ
１８  配線基板
１８ａ  実装面
２０，２０Ａ，２０Ｂ，２０Ｃ，２０Ｄ  ヒートシンク
２２  防塵カバー部材
２４，２４Ｃ，２４Ｄ  レンズカバー部材
２６，２６Ａ，２６Ｂ，２６Ｃ，２６Ｄ  支持部
２６ａ  支持面
２８  放熱フィン
３０，５０  ネジ
３３  ナットキャップ
３４  ネジ孔
３６，３６Ａ，３６Ｂ，３６Ｃ  防水コネクタ
３８ａ，３８ｂ，３８Ａａ，３８Ｂａ  開口部
４０  リード線
４２  ケーブル
４６  通気孔
５２  シール部材
５４  レンズ部
５６  収納凹部
５８，５８Ａ，５８Ｂ，５８Ｃ  コネクタ本体
５８ａ  先端部
５８ｂ  基端部
５８ｃ，５８Ｃａ  フランジ部
６０，６０Ｃ  ナット
６２  段差部
【図１】
2014175189.tif 000003
【図２】
2014175189.tif 000004
【図３】
2014175189.tif 000005
【図４】
2014175189.tif 000006
【図５】
2014175189.tif 000007
【図６】
2014175189.tif 000008
【図７】
2014175189.tif 000009
【図８】
2014175189.tif 000010
【図９】
2014175189.tif 000011
【図１０】
2014175189.tif 000012